(57)【要約】【課題】経験の浅いスタッフでも一定レベルのカウンセリングを行い、髪型やメイクを提案することが可能になるヘアスタイル提案システムを提供する。【解決手段】複数のヘアスタイルのデータを記憶する記憶手段と、顧客の要望を入力する入力手段と、顧客の顔を撮影可能な撮影手段と、撮影された顧客の顔画像の縦横比率を計算する計算手段と、顧客の要望及び計算手段の結果に対応して、記憶手段に記憶された画像データからヘアスタイルを選択する選択手段と、選択手段によって選択されたヘアスタイルを表示する表示手段とを備える。【選択図】図２
2017016418.tif 000002
【特許請求の範囲】
【請求項１】
ヘアスタイルに関する施術のデータである施術データを複数記憶する記憶手段と、
顧客のカウンセリングデータを入力するデータ入力手段と、
前記顧客の顔を撮影可能な撮影手段と、
前記撮影された顧客の顔画像の輪郭から外顔の種類を識別する外顔識別手段と、
前記撮影された顧客の顔画像の目、鼻、口の位置から中顔の種類を識別する中顔識別手段と、
前記撮影された顧客の顔画像の縦横比率を計算する黄金比計算手段と、
前記カウンセリングデータ、前記外顔識別手段の識別結果、前記中顔識別手段の識別結果、及び前記黄金比計算手段の計算結果に対応して、前記記憶手段に記憶された施術データから自動的に施術を選択する選択手段と、
前記選択手段によって選択された前記施術データに応じたヘアスタイルを表示するヘアスタイル表示手段とを備えることを特徴とするヘアスタイル提案システム。
【請求項２】
請求項１に記載のヘアスタイル提案システムにおいて、
前記選択手段は、複数の施術を候補施術として選択し、
前記候補施術に応じたヘアスタイルを表示する候補ヘアスタイル表示手段を備えることを特徴とするヘアスタイル提案システム。
【請求項３】
請求項２に記載のヘアスタイル提案システムにおいて、
前記候補ヘアスタイル表示手段に表示された複数の候補施術を操作によって選択できるヘアスタイル選択手段を備え、
前記ヘアスタイル表示手段は、前記撮影された顧客の顔画像のヘアスタイルを、前記ヘアスタイル選択手段によって選択された施術に応じたヘアスタイルに変更して表示することを特徴とするヘアスタイル提案システム。
【請求項４】
請求項２、請求項３に記載のヘアスタイル提案システムにおいて、
前記ヘアスタイル選択手段で選択された施術に応じた金額を表示する金額表示手段を備えることを特徴とするヘアスタイル提案システム。
【請求項５】
請求項２から請求項４のいずれか１項に記載のヘアスタイル提案システムにおいて、
前記ヘアスタイル選択手段で選択された施術に応じた金額データを会計システムに送信可能な金額データ送信手段を備えることを特徴とするヘアスタイル提案システム。
【請求項６】
請求項２から請求項４のいずれか１項に記載のヘアスタイル提案システムにおいて、
前記ヘアスタイル選択手段で選択された施術に応じた施術データを含む予約データを予約システムに送信可能な予約データ送信手段を備えることを特徴とするヘアスタイル提案システム。
【請求項７】
請求項１に記載のヘアスタイル提案システムにおいて、
前記ヘアスタイル表示手段は、前記撮影された顧客の顔画像のヘアスタイルを、前記選択手段で選択された施術に応じたヘアスタイルに変更して表示することを特徴とするヘアスタイル提案システム。
【請求項８】
請求項３、請求項７に記載のヘアスタイル提案システムにおいて、
前記ヘアスタイル表示手段に表示された施術に応じて変更された顔画像のヘアスタイルを、操作によって加工できるヘアスタイル加工手段を備えることを特徴するヘアスタイル提案システム。
【請求項９】
請求項３、請求項７に記載のヘアスタイル提案システムにおいて、
前記ヘアスタイル表示手段に表示された施術に応じて変更された顔画像のメイクを、操作によって加工できるメイク手段を備えることを特徴するヘアスタイル提案システム。
【発明の詳細な説明】
【技術分野】
【０００１】
本発明は、ヘアスタイル提案システムに関する。
【背景技術】
【０００２】
従来、ヘアサロンでは、顧客が自分の好みの髪型をスタイリストに伝え、スタイリストは、顧客に言われた髪型の施術を行ってきた。
【０００３】
このようなヘアサロンの施術は、一般的に、ヘアサロン側が、顧客に、「今日は、どんな風にしますか？」と尋ねるカウンセリングを行うことから始まる。このカウンセリングでは、三つの行程がある。一つ目がお客様に、「髪の悩み」を聞く行程、二つ目が「なりたいイメージ」を聞く行程、三つ目が「顔分析」をする行程となる。
【０００４】
しかし、カウンセリングで、「なりたいイメージ」を聞いたとしても、顧客は実際にどうしたらよいのかわからない。他方、サロン側は、顧客の心の中がわからず困難を感じる事例も多い。
【０００５】
さらに、ヘアスタイルを考える上で重要となる「顔分析」を行うための造形理論が確立されていない。このため、顧客側は、今までの好みから、髪型を指定し、サロン側は、客の指定に従い、スタイルをつくることが行われている。
【０００６】
上記のように、サロンではヘアスタイルのカウンセリングの理論が確立されていないため、スタッフの個人的な能力に頼っていた。理論がないため、サロンスタッフの育成にも時間がかかり、また、サロンスタッフによる能力の差も開いてしまっていた。また、そもそも「今もってヘアスタイルを似合わせるための、カウンセリングの体系的な学問がない」ために、サロンの現場でのスタイリスト教育には、髪の切り方のトレーニングに終始している。
【０００７】
また、ヘアスタイルを提案するために、インターネット上でサーバに記憶されているヘアスタイルを選択し、顧客の顔写真画像を入力することにより、選択したヘアスタイルに顧客の顔を合成して表示手段に表示するヘアスタイル提案システム（特許文献１）や、顧客の属性と、身体的な特徴とを記録し、これらのデータに対応付けられたヘアスタイルを検索し、予め撮像された顧客の顔面部分の画像と、検索されたヘアスタイルデータを合成し、顧客のイメージ画像を生成し、顧客に提案するヘアスタイル提案システム（特許文献２）が提案されている。
【先行技術文献】
【特許文献】
【０００８】
【特許文献１】特開２００１−２７３４５７号
【特許文献２】特開２００５‐３２１９８６号
【発明の概要】
【発明が解決しようとする課題】
【０００９】
しかし、特許文献１のシステムであっても、流行のヘアスタイルは記録されているが、顧客が望んだヘアスタイルと、顔画像を合成するに過ぎず、「なりたい自分がわからない」顧客にとっては負担が大きい。
【００１０】
さらに、特許文献２のヘアスタイル提案システムであっても、入力される身体的な特徴は、人間の顔型、髪質、毛量、クセ、肌色であり、例えば、顔型のカテゴリに関する特徴パラメータは、例えば、丸型、逆三角型、細型、五角形型等形状を指定し、髪質や毛量やクセや肌色に関しては、例えば、「硬い」から「柔らかい」など段階的に入力することは記載されているが、入力された特徴をどのようにヘアスタイルの提案に結びつける方法は開示されていない。このため、顧客になぜそのヘアスタイルが良いのかをきちんと理論付けて提案することができず、経験の浅いスタッフではカウンセリングができない。
【００１１】
このため、従来のヘアスタイル提案システムでは、ある程度経験のあるスタイリストでないと使いこなすことが難しく、経験の浅いスタッフでは顧客に対して十分なカウンセリングを行うことができない。
【００１２】
本発明は、上述した課題を解決するために、経験の浅いスタッフでも一定レベルのカウンセリングを行い、髪型やメイクを提案することが可能になるヘアスタイル提案システムを提供することを目的とする。
【課題を解決するための手段】
【００１３】
（１）  本発明は、ヘアスタイルに関する施術のデータである施術データを複数記憶する記憶手段と、顧客のカウンセリングデータを入力するデータ入力手段と、前記顧客の顔を撮影可能な撮影手段と、前記撮影された顧客の顔画像の輪郭から外顔の種類を識別する外顔識別手段と、前記撮影された顧客の顔画像の目、鼻、口の位置から中顔の種類を識別する中顔識別手段と、前記撮影された顧客の顔画像の縦横比率を計算する黄金比計算手段と、前記カウンセリングデータ、前記外顔識別手段の識別結果、前記中顔識別手段の識別結果、及び前記黄金比計算手段の計算結果に対応して、前記記憶手段に記憶された施術データから自動的に施術を選択する選択手段と、前記選択手段によって選択された前記施術データに応じたヘアスタイルを表示するヘアスタイル表示手段とを備えることを特徴とするヘアスタイル提案システムである。
【００１４】
本発明によれば、スタッフは、どんな風に顧客が見られたいかという顧客のカウンセリングデータをヘアスタイル提案システム（例えば、ｉＰａｄ（登録商標）などタブレット端末上で作動するシステム）に入力し、さらに、例えば、タブレット端末についているカメラで顧客を撮影し、顧客の輪郭から外顔の種類（例えば、  卵型、丸型、長方形、四角形、ベース型、台形型、菱形、逆三角形など）を識別し、顧客の目や鼻や口の位置から中顏の種類（求心顔、遠心顔、標準顔など）を識別し、縦横比率を計算する。これらのデータに基づいて、顧客にあった施術メニューを選択し、表示手段（例えば、ｉＰａｄ（登録商標）のディスプレイ）に表示する。これによって、経験の浅いスタッフでも一定レベルのカウンセリングを行い、髪型やメイクを提案できるヘアスタイル提案システムを提供することが可能になる
【００１５】
（２）  本発明は、（１）のヘアスタイル提案システムにおいて、前記選択手段が、複数の施術を候補施術として選択し、前記候補施術に応じたヘアスタイルを表示する候補ヘアスタイル表示手段を備えることを特徴とするヘアスタイル提案システムである。
【００１６】
さらに、複数の施術メニューを表示手段（例えば、ｉＰａｄ（登録商標）のディスプレイ）に表示することで、顧客に複数の案を示すことができ、顧客は自分の意思で最適なヘアスタイルを選択することができる。これによって、経験の浅いスタッフでも一定レベルのカウンセリングを行い、髪型やメイクを提案できるヘアスタイル提案システムを提供することが可能になる
【００１７】
（３）  本発明は、（２）のヘアスタイル提案システムにおいて、前記候補ヘアスタイル表示手段に表示された複数の候補施術を操作によって選択できるヘアスタイル選択手段を備え、前記ヘアスタイル表示手段は、前記撮影された顧客の顔画像のヘアスタイルを、前記ヘアスタイル選択手段によって選択された施術に応じたヘアスタイルに変更して表示することを特徴とするヘアスタイル提案システムである。
【００１８】
さらに、複数の施術メニューを表示手段（例えば、ｉＰａｄ（登録商標）のディスプレイ）に表示することで、顧客に複数の案を示すことができ、さらに、選択した施術メニューに応じて顧客のヘアスタイルがどう変化するかわかる。これにより、顧客も納得して施術が受けられ、スタッフも擬似的な経験を積むことができる。これによって、経験の浅いスタッフでも髪型やメイクを提案できるヘアスタイル提案システムを提供することが可能になる。
【００１９】
（４）  本発明は、（２）、（３）のヘアスタイル提案システムにおいて、前記ヘアスタイル選択手段で選択された施術に応じた金額を表示する金額表示手段を備えることを特徴とするヘアスタイル提案システムである。
【００２０】
さらに、複数の施術メニューを表示手段（例えば、ｉＰａｄ（登録商標）のディスプレイ）に表示することで、顧客に複数の案と金額を示すことができ、顧客は自分の好みと予算に応じたヘアスタイルを選択できる。これによって、経験の浅いスタッフでも一定レベルのカウンセリングを行い、髪型やメイクを提案できるヘアスタイル提案システムを提供することが可能になる
【００２１】
（５）  本発明は、（２）から（４）のいずれか１項に記載のヘアスタイル提案システムにおいて、前記ヘアスタイル選択手段で選択された施術に応じた金額データを会計システムに送信可能な金額データ送信手段を備えることを特徴とするヘアスタイル提案システムである。
【００２２】
さらに、表示手段（例えば、ｉＰａｄ（登録商標）のディスプレイ）に表示され、顧客が選択した施術データが会計システムに送信される。このため、スタッフが余計な経理作業に時間を取られず、カウンセリングや髪型やメイクの経験を積むことができる。これによって、経験の浅いスタッフでも一定レベルのカウンセリングを行い、髪型やメイクを提案できるヘアスタイル提案システムを提供することが可能になる
【００２３】
（６）  本発明は、（２）から（４）のいずれか１項に記載のヘアスタイル提案システムにおいて、前記ヘアスタイル選択手段で選択された施術に応じた施術データを含む予約データを予約システムに送信可能な予約データ送信手段を備えることを特徴とするヘアスタイル提案システムである。
【００２４】
さらに、顧客が選択した施術データが予約システムに送信される。予約時にほとんどの方向性が定まっているため、カウンセリングや髪型やメイクの提案が容易に行える。これによって、経験の浅いスタッフでも一定レベルのカウンセリングを行い、髪型やメイクを提案できるヘアスタイル提案システムを提供することが可能になる
【００２５】
（７）  （１）に記載のヘアスタイル提案システムにおいて、前記ヘアスタイル表示手段は、前記撮影された顧客の顔画像のヘアスタイルを、前記選択手段で選択された施術に応じたヘアスタイルに変更して表示することを特徴とするヘアスタイル提案システムである。
【００２６】
表示手段（例えば、ｉＰａｄ（登録商標）のディスプレイ）によって、顧客のヘアスタイルがどう変化するかわかる。これにより、顧客も納得して施術が受けられ、スタッフも擬似的な経験を積むことができる。これによって、経験の浅いスタッフでも髪型やメイクを提案できるヘアスタイル提案システムを提供することが可能になる。
【００２７】
（８）  （３）、（７）に記載のヘアスタイル提案システムにおいて、前記ヘアスタイル表示手段に表示された施術に応じて変更された顔画像のヘアスタイルを、操作によって加工できるヘアスタイル加工手段を備えることを特徴するヘアスタイル提案システムである。
【００２８】
表示手段（例えば、ｉＰａｄ（登録商標）のディスプレイ）によって表示された顧客のヘアスタイルがアレンジによってどう変化するかわかる。これにより、顧客も納得して施術が受けられ、スタッフも擬似的な経験を積むことができる。これによって、経験の浅いスタッフでも髪型やメイクを提案できるヘアスタイル提案システムを提供することが可能になる。
【００２９】
（９）  （３）、（７）に記載のヘアスタイル提案システムにおいて、前記ヘアスタイル表示手段に表示された施術に応じて変更された顔画像のメイクを、操作によって加工できるメイク手段を備えることを特徴するヘアスタイル提案システムである。
【００３０】
表示手段（例えば、ｉＰａｄ（登録商標）のディスプレイ）によって表示された顧客の顔がメイクによってどう変化するかわかる。これにより、顧客も納得して施術が受けられ、スタッフも擬似的な経験を積むことができる。これによって、経験の浅いスタッフでも髪型やメイクを提案できるヘアスタイル提案システムを提供することが可能になる。
【図面の簡単な説明】
【００３１】
【図１】本発明の実施形態にかかる本発明の実施形態にかかるヘアスタイル提案システムが実行されるコンピュータの一例である。
【図２】本発明の実施形態にかかる本発明の実施形態にかかるヘアスタイル提案システムの処理フローの一例である。
【図３】本発明の実施形態にかかるヘアスタイル提案システムの分析基準の一例である。
【図４】本発明の実施形態にかかるヘアスタイル提案システムのカウンセリングシートのテーブルの一例である。
【図５】本発明の実施形態にかかるヘアスタイル提案システムによって解析された顔の概念図の一例である。
【図６】本発明の実施形態にかかるヘアスタイル提案システムによって解析された顔画像の一例である。
【図７】本発明の実施形態にかかるヘアスタイル提案システムによって提案された髪型の一例である。
【図８】本発明の実施形態にかかるヘアスタイル提案システムによって提案された髪型の一例である。
【図９】本発明の実施形態にかかる本発明の実施形態にかかるヘアスタイル提案システムが実行されるコンピュータの一例である。
【発明を実施するための最良の形態】
【００３２】
以下、本発明に係るヘアスタイル提案システムの概要を、図１を用いて説明する。１はヘアサロンのコンピュータであり、コンピュータ１（例えば、ｉＰａｄ（登録商標））は顧客の顔画像を撮影するための撮影装置を有している。コンピュータ１の記憶装置には、ヘアスタイルの画像登録プログラム、ヘアスタイル提案プログラムなど各種プログラムが格納されている。  
【００３３】
このように、コンピュータ１の記憶装置は、ヘアスタイルに関する施術のデータである施術データを複数記憶する記憶手段の一例である。このように、コンピュータ１のディスプレイは、顧客のカウンセリングデータを入力するデータ入力手段の一例である。コンピュータ１のカメラは、顧客の顔を撮影可能な撮影手段の一例である。なお、本実施形態において、コンピュータの一例として、ｉＰａｄが記載されているが、本発明はこれに限定されず、iPhone(登録商標)、スマートフォン、カメラ付きのタブレット端末やデジカメに接続されたコンピュータなど、撮影装置から画像情報を取り込み、情報を処理できる情報端末を使用しても良い。
【００３４】
次に、上記の構成に基づいて図２のフローチャートと共に本ヘアスタイル提案システムについて説明する。ヘアサロンにおける施術は、一般的に、ヘアサロン側が、顧客にカウンセリングを行うことから始まる。このカウンセリングでは、三つの行程がある。一つ目がお客様に、「髪の悩み」を聞く行程、二つ目が「なりたいイメージ」を聞く行程、三つ目が「顔分析」をする行程となる。
【００３５】
この「顔分析」の行程において、本ヘアスタイル提案システムが使われる。
【００３６】
図２に示すように、ステップＳ１０において、データ入力処理を行う。この処理において、担当スタイリストが顧客の要望を、デザインマップ（図４参照）を用いて上位３つの属性をヘアスタイル提案システムに入力する。入力された属性情報は、コンピュータ１の記憶装置に格納される。この処理が終了すると、ステップＳ２０に処理を移す。
【００３７】
ステップＳ２０において、顧客撮影処理を行う。この処理において、担当スタイリストが顧客の正面顔をコンピュータ１の撮影装置で、撮影する。また、転送した顧客の正面顔画像は、コンピュータ１の表示装置（ｉＰａｄ（登録商標）のディスプレイなど）に表示される（図５参照）。また、撮影された正面顔画像が傾いていたり、大きさが適切でない場合には、傾きを補正したり、大きさの補正を行う。この処理が終了すると、ステップＳ２２に処理を移す。
【００３８】
ステップＳ２２において、外顔識別処理を行う。この処理において、システムは、顧客の正面顔画像データの輪郭情報に基づき、卵型、丸型、長方形、四角形、ベース型、台形型、菱形、逆三角形のどれであるか識別する。この処理が終了すると、ステップＳ２４に処理を移す。
【００３９】
より具体的には、外顏識別処理は、撮影した人の顔を正中線に対して垂直で、眉毛の重心を通る眉毛重心線と鼻の下端を通る鼻下端線との２つの線で３分割する（図５参照）。さらに、鼻下端線と顎の下端との間に等間隔に口上線と口下線の２つの線を引き、三分割する。また、眉毛重心線と鼻下端線との中間地点に鼻中線を引き２分割する。
【００４０】
顔の正中線を鼻下端線で割った値が、所定の黄金比以上の場合には以下の判定を行う。
【００４１】
鼻中線が顔の輪郭部分に接した場所の角度が菱形基準角度以上の場合、菱形と判定する。
【００４２】
顎の角度が長方形基準の角度以下の場合には、長方形と判定する。
【００４３】
また、顎の角度が長方形基準角度より大きく卵型基準角度よりも小さく、口上線が顔の輪郭部分に接した部分（頬骨の周辺）の角度がベース型基準角度よりも小さい場合には、卵型と判定する。
【００４４】
また、顎の角度が長方形基準角度より大きく卵型基準角度よりも小さく、口上線が顔の輪郭部分に接した部分の角度がベース型基準角度よりも大きい場合には、ベース型と判定する。
また、顎の角度が卵型基準角度よりも大きい場合には逆三角形と判定する。
【００４５】
顔の正中線を鼻下端線で割った値が、所定の黄金比以下の場合には以下の判定を行う。
【００４６】
また、鼻下端線が顔の輪郭部分に接した部分の角度が台形基準角度よりも大きい場合には台形と判定する。
【００４７】
顎の角度が四角形基準角度よりも小さい場合には四角形と判定する。
【００４８】
顎の角度が四角形基準角度よりも大きく丸型基準角度よりも小さく、口上線が顔の輪郭部分に接した部分の角度が丸型基準角度よりも小さい場合には、丸形と判定する。
【００４９】
顎の角度が四角形基準角度よりも大きく丸型基準角度よりも小さく、口上線が顔の輪郭部分に接した部分の角度が丸型基準角度よりも大きい場合には、ベース形と判定する。
【００５０】
また、角度が丸型基準角度よりも大きい場合にはベース形と判定する。なお、菱形基準角度、長方形基準角度、ベース型基準角度、丸型基準角度、台形基準角度は、四角形基準角度は、各種顔型に対応した複数の顧客の写真から求められる値である。コンピュータ１のＣＰＵは、撮影された顧客の顔画像の輪郭から外顔の種類を識別する外顔識別手段の一例である。
【００５１】
ステップＳ２４において、中顔識別処理を行う。この処理において、システムは、顧客の正面顔画像データの目、眉、輪郭の位置に基づき、求心顔、遠心顔、標準顔のどれであるか識別する。この処理が終了すると、ステップＳ３０に処理を移す。
【００５２】
より具体的には、瞳の中心と正中線との交点を基準に、その交点から瞳の中心までの瞳距離と、交点から鼻の下端までの鼻下端距離を測定し、鼻下端距離を瞳距離で割った値が求心顏基準値よりも大きい場合には、求心顏と判定し、遠心顏基準値よりも小さい場合には、遠心顔と判定する。それ以外の場合には標準顏と判定する。なお、求心顏基準値と遠心顏基準値は各種顔型に対応した複数の顧客の写真から求められる値である。コンピュータ１のＣＰＵは、  撮影された顧客の顔画像の目、鼻、口の位置から中顔の種類を識別する中顔識別手段の一例である。
【００５３】
ステップＳ３０において、比率計算処理を行う。この処理において、正面顔画像上にグリッド選を記入し、グリッド線を参考に顔の縦で最長の場所（図６のＡ−Ｂ線）、横で最長の場所（図６のＣ−Ｄ線）をそれぞれ計測する処理を行う。さらに、顧客の顔の縦÷横の比率を計算する処理を行う。この処理が終了すると、ステップＳ４０に処理を移す。コンピュータ１のＣＰＵは、  撮影された顧客の顔画像の縦横比率を計算する黄金比計算手段の一例である。
【００５４】
ステップＳ４０において、画像生成処理を行う。この処理において、ステップＳ１０で入力された顧客の要望とステップＳ２２において識別された外顔、ステップＳ２４において識別された中顔、ステップＳ３０において計算された顧客の顔の比率とに基づき、髪型やメイクをコンピュータ１のディスプレイに表示する（図７，図８参照）。
【００５５】
また、ステップＳ４０において、コンピュータ１のディスプレイに複数の候補の髪型を表示してもよい。顧客や施術者は複数の候補の中からタッチパネルディスプレイを操作して、自分の好みの髪型を選択できる。
【００５６】
コンピュータ１のＣＰＵは、カウンセリングデータ、外顔識別手段の識別結果、中顔識別手段の識別結果、及び黄金比計算手段の計算結果に対応して、記憶手段に記憶された施術データから自動的に施術を選択する選択手段の一例である。コンピュータ１のディスプレイは、選択手段によって選択された施術データに応じたヘアスタイルを表示するヘアスタイル表示手段の一例である。このように、コンピュータ１のディスプレイは、撮影された顧客の顔画像のヘアスタイルを、選択手段で選択された施術に応じたヘアスタイルに変更して表示するヘアスタイル表示手段の一例である。このように、コンピュータ１のＣＰＵは、複数の施術を候補施術として選択する選択手段の一例である。このように、コンピュータ１のディスプレイは、候補施術に応じたヘアスタイルを表示する候補ヘアスタイル表示手段の一例である。このように、コンピュータ１のディスプレイは、候補ヘアスタイル表示手段に表示された複数の候補施術を操作によって選択できるヘアスタイル選択手段の一例である。このように、コンピュータ１のディスプレイは、撮影された顧客の顔画像のヘアスタイルを、ヘアスタイル選択手段によって選択された施術に応じたヘアスタイルに変更して表示するヘアスタイル表示手段の一例である。
【００５７】
ステップＳ２２、ステップＳ２４、ステップＳ３０によって明らかになるお客様の顔の特徴により、アドバイスの骨格がうまれる。例えば、図３に示すように、縦横比率が黄金比（１．３３３）よりも大きい場合には、面長で長方形なので、顔の横にふくらみをつけ、縦の線を短く見せるために、前髪を工夫し額を隠す方向のデザインを提案する。また、縦横比率が黄金比よりも小さい場合には、丸顔、真四角なので、縦の線を強調して、高さを求めるデザインとなり、額も工夫して見せる方向のデザインとなる。というような提案を行うことができる。さらに、スタイリストの細かなノウハウをもとに、より高度なヘアデザインの提案が可能になる。
【００５８】
さらに、表示された顔画像をコンピュータ１のタッチディスプレイの操作によってメイクやヘアデザインを変更することができる。顔画像と、ヘアスタイル画像と、メイク画像は異なるレイヤーになっていることで、変更修正を容易にしても良い。また、ヘアスタイル画像や、メイク画像は複数記憶手段に記憶されていても良いし、また、顧客の顔画像と、メイク画像と、髪画像を別のレイヤーにし、顧客自身のヘアスタイルやメイクの画像を変換しても良い。このように、コンピュータ１のディスプレイは、ヘアスタイル表示手段に表示された施術に応じて変更された顔画像のヘアスタイルを、操作によって加工できるヘアスタイル加工手段の一例である。このように、コンピュータ１のディスプレイは、ヘアスタイル表示手段に表示された施術に応じて変更された顔画像のメイクを、操作によって加工できるメイク手段の一例である。なお、本実施形態において、操作手段の一例としてタッチディスプレイを記載しているが、本発明はこれに限定されず、キーボードやマウスやペンタブレットなど他の入力デバイスであっても良い。
【００５９】
さらに、コンピュータ１は、例えば、無線ＷＩＦＩなどの通信手段によって、選択された施術メニューを会計システムに送信したり、予約システムに送信しても良い。このように、コンピュータ１のディスプレイは、ヘアスタイル選択手段で選択された施術に応じた金額を表示する金額表示手段の一例である。このように、コンピュータ１の送信手段は、ヘアスタイル選択手段で選択された施術に応じた金額データを会計システムに送信可能な金額データ送信手段の一例である。このように、コンピュータ１の送信手段は、ヘアスタイル選択手段で選択された施術に応じた施術データを含む予約データを予約システムに送信可能な予約データ送信手段の一例である。
【００６０】
また、このカウンセリングにより、お客様が自分自身でまだ気付かない自身の長所を、サロンスタッフが引き出してあげることができることにより、お客様が期待しているよりも、より高い満足の度合いで仕上げることができるものである。
【符号の説明】
【００６１】
１  コンピュータ
５  ディスプレイ
【図１】
2017016418.tif 000003
【図２】
2017016418.tif 000004
【図３】
2017016418.tif 000005
【図４】
2017016418.tif 000006
【図５】
2017016418.tif 000007
【図６】
2017016418.tif 000008
【図７】
2017016418.tif 000009
【図８】
2017016418.tif 000010
【図９】
2017016418.tif 000011